(57)【要約】【課題】  氷蓄熱タンクを地下や中層階に設置した場合であっても、製氷部をタンク本体内から容易に取り出すことができるようにする。【解決手段】  水Ｗが収容されたタンク本体１内に、冷媒配管２からなる製氷部３を配設してなる氷蓄熱タンクにおいて、前記タンク本体１の側面１ｂに、前記製氷部３を取り出すことができる大きさの開口部６と該開口部６を開閉する蓋体７とを設けて、氷蓄熱タンクＺをビルの地下スペースや中層階に設置していた場合であっても、製氷部３を構成する冷媒配管２，２・・に局部腐食（腐食形態としては孔食）が発生した場合には、蓋体７を取り外して開口部６を開放すれば、タンク本体１の側面１ｂに形成された開口部６から製氷部３を容易に取り出すことができるようにしている。【選択図】        図１
2010071473.tif 000002
【特許請求の範囲】
【請求項１】
水（Ｗ）が収容されたタンク本体（１）内に、冷媒配管（２），（２）・・からなる製氷部（３）を配設してなる氷蓄熱タンクであって、前記タンク本体（１）の側面（１ｂ）には、前記製氷部（３）を取り出すことができる大きさの開口部（６）と該開口部（６）を開閉する蓋体（７）とを設けたことを特徴とする氷蓄熱タンク。
【請求項２】
前記製氷部（３）を、機械的接続手段（１１），（１１）・・を介して分解可能に接続された複数の分割製氷部（３Ａ），（３Ａ）・・により構成するとともに、前記開口部（６）を、前記分割製氷部（３Ａ）を取り出し得る大きさとなしたことを特徴とする請求項１記載の氷蓄熱タンク。
【請求項３】
前記製氷部（３）を構成する冷媒配管（２），（２）・・を、銅管により構成したことを特徴とする請求項１および２のいずれか一項記載の氷蓄熱タンク。
【発明の詳細な説明】
【技術分野】
【０００１】
本願発明は、氷蓄熱タンクに関し、空気調和装置における冷房熱源として使用される氷蓄熱タンクに関するものである。
【背景技術】
【０００２】
従来から、蓄熱タンクに貯留した水等の蓄熱媒体を冷却して凍らせ、蓄熱媒体の潜熱として冷熱を蓄える氷蓄熱タンクが知られている。この氷蓄熱タンクは、空気調和装置と組み合わせて利用されている（例えば、特許文献１参照）。
【０００３】
この氷蓄熱タンクにおいては、夜間に製氷を行って冷熱を蓄える一方、昼間には夜間に蓄えた冷熱を利用して冷房運転を行うことによって、安価な深夜電力を利用して空気調和装置の運転コストを低減するとともに、夜間と昼間の電力需要の平準化を図っている。
【０００４】
上記技術は、大幅な電力料金の低減や、昼間の都市部におけるヒートアイランド問題を緩和できる優れた技術であり、今後ますます採用が増えて行く傾向にあるが、氷蓄熱タンクの設置場所によってはトラブル発生時の補修が容易でないという課題がある。
【０００５】
【特許文献１】特開２００４−３７４９号公報
【発明の開示】
【発明が解決しようとする課題】
【０００６】
一般的な氷蓄熱タンクＺでは、図７（イ）に示すように、タンク本体１の中に冷媒配管２，２・・（例えば、銅管２，２・・）を水平および垂直に多数接続した構造の製氷部３を収納した構造となっており、製氷部３を構成する冷媒配管２，２・・（例えば、銅管２，２・・）内に液冷媒を供給して過冷却し、製氷部３の外周に氷を生成させて蓄冷するようになっている。符号４は冷媒分流器である。蓄熱効率を高めるためには、製氷部３を構成する冷媒配管２，２・・（例えば、銅管２，２・・）はタンク本体１内に均一に配置されており、高圧冷媒の気密保持のため、配管接続はロウ付けが採用されている。このような状況のため、タンク本体１内に設置されている多数の冷媒配管２，２・・（例えば、銅管２，２・・）は、一体ものの製氷部３を構成することとなっているのが通例である。
【０００７】
タンク本体１内の製氷部３を構成する冷媒配管２，２・・（例えば、銅管２，２・・）は、耐食性に優れており、腐食を受けることは少ないのであるが、稀に局部腐食（腐食形態としては孔食）が発生し、冷媒配管２，２・・（例えば、銅管２，２・・）が侵食されて内部から冷媒が漏洩するケースが生じている。このような場合、製氷部３をタンク本体１から取り出して、漏れ個所を探し、ロウ付け等で修理することとなる。
【０００８】
一方、氷蓄熱タンクＺの設置場所は、ビルの屋上や地下スペースである場合が多い。例えば、図７（イ）に示すように、氷蓄熱タンクＺがビルの屋上に設置されている場合には、図７（ロ）に示すように、タンク本体１の上蓋１ａを取り外し、製氷部３をタンク本体１から取り出すことは、さほど困難ではない。ところが、図８に示すように、氷蓄熱タンクＺがビルの地下スペースやビルの中層階に設置されている場合には、タンク本体１と天井Ｔとの間隔が充分でない状況では、タンク本体１から製氷部３を引き上げることが難しい場合が生ずる。高層建築物では、氷蓄熱タンクを地下や中層階に設置するケースが多く、上記のような課題が潜在している。
【０００９】
本願発明は、上記の点に鑑みてなされたもので、氷蓄熱タンクを地下や中層階に設置した場合であっても、製氷部をタンク本体内から容易に取り出すことができるようにすることを目的としている。
【課題を解決するための手段】
【００１０】
本願発明では、上記課題を解決するための第１の手段として、水Ｗが収容されたタンク本体１内に、冷媒配管２，２・・からなる製氷部３を配設してなる氷蓄熱タンクにおいて、前記タンク本体１の側面１ｂに、前記製氷部３を取り出すことができる大きさの開口部６と該開口部６を開閉する蓋体７とを設けている。
【００１１】
上記のように構成したことにより、氷蓄熱タンクＺをビルの地下スペースや中層階に設置していた場合であっても、製氷部３を構成する冷媒配管２，２・・に局部腐食（腐食形態としては孔食）が発生した場合には、タンク本体１の側面１ｂに形成された開口部７から製氷部３を容易に取り出すことが可能となり、製氷部３のメンテナンス（即ち、冷媒配管２の修理）が容易に行えることとなる。
【００１２】
本願発明では、さらに、上記課題を解決するための第２の手段として、上記第１の手段を備えた氷蓄熱タンクにおいて、前記製氷部３を、機械的接続手段１１，１１・・を介して分解可能に接続された複数の分割製氷部３Ａ，３Ａ・・により構成するとともに、前記開口部おを、前記分割製氷部３Ａを取り出し得る大きさとなすこともでき、そのように構成した場合、開口部６を小さくできるため、製作コストを低減することが可能となる。
【００１３】
本願発明では、さらに、上記課題を解決するための第３の手段として、上記第１又は第２の手段を備えた氷蓄熱タンクにおいて、前記製氷部３を構成する冷媒配管２，２・・を、銅管により構成することもでき、そのように構成した場合、冷媒配管２，２・・の伝熱特性が高くなって、製氷部３における製氷能力が向上するとともに、銅管２，２・・の耐食性により腐食発生頻度を低減できる。
【発明の効果】
【００１４】
本願発明の第１の手段によれば、水Ｗが収容されたタンク本体１内に、冷媒配管２からなる製氷部３を配設してなる氷蓄熱タンクにおいて、前記タンク本体１の側面１ｂに、前記製氷部３を取り出すことができる大きさの開口部６と該開口部６を開閉する蓋体７とを設けて、氷蓄熱タンクＺをビルの地下スペースや中層階に設置していた場合であっても、製氷部３を構成する冷媒配管２，２・・に局部腐食（腐食形態としては孔食）が発生した場合には、蓋体７を取り外して開口部６を開放すれば、タンク本体１の側面１ｂに形成された開口部６から製氷部３を容易に取り出すことができるようにしたので、製氷部３のメンテナンス（即ち、冷媒配管２，２・・の修理）を容易に行うことができるという効果がある。
【００１５】
本願発明の第２の手段におけるように、上記第１の手段を備えた氷蓄熱タンクにおいて、前記製氷部３を、機械的接続手段１１，１１・・を介して分解可能に接続された複数の分割製氷部３Ａ，３Ａ・・により構成するとともに、前記開口部６を、前記分割製氷部３Ａを取り出し得る大きさとなすこともでき、そのように構成した場合、開口部６を小さくできるため、製作コストを低減することが可能となる。
【００１６】
本願発明の第３の手段におけるように、上記第１又は第２の手段を備えた氷蓄熱タンクにおいて、前記製氷部３を構成する冷媒配管２，２・・を、銅管により構成することもでき、そのように構成した場合、冷媒配管２，２・・の伝熱特性が高くなって、製氷部３における製氷能力が向上するとともに、銅管２，２・・の耐食性により腐食発生頻度を低減できる。
【発明を実施するための最良の形態】
【００１７】
以下、添付の図面を参照して、本願発明を幾つかの好適な実施の形態について説明する。
【００１８】
第１の実施の形態
図１には、本願発明の第１の実施の形態にかかる氷蓄熱タンクが示されている。
【００１９】
この氷蓄熱タンクＺは、水Ｗが収容された直方体形状の鉄製のタンク本体１内に、冷媒配管となる銅管２，２・・からなる製氷部３を配設して構成されており、ビルの地下スペースあるいは中層階に設置され、夜間に氷蓄熱タンクＺにより製氷を行って冷熱を蓄える一方、昼間には夜間に蓄えた冷熱を利用して冷房運転を行うことによって、安価な深夜電力を利用して空気調和装置の運転コストを低減するとともに、夜間と昼間の電力需要の平準化を図ることとなっている。前記製氷部３は、銅管２，２・・を水平および垂直に多数接続した一体構造とされている。符号４は冷媒分流器、５はタンク本体１内の水Ｗをメンテナンス時に排出するための水抜き栓、Ｔは天井である。
【００２０】
また、本実施の形態の場合、前記タンク本体１は、直方体形状とされており、その一側面１ｂには、前記製氷部３を取り出すことができる大きさの開口部６と該開口部６を開閉する蓋体７とが設けられている。この開口部６は、図２に示すように、タンク本体１の一つの側面１ｂを開放することにより形成される場合もあるが、図３に示すように、タンク本体１の一側面１ａに製氷部３を取り出すことができる大きさの開口部６を形成する場合もある。そして、前記蓋体７は、図４に示すように、前記開口部６の口縁に対してボルト８とナット９とにより着脱可能に取り付けられる鉄製のものとされている。符号１０はゴム製パッキンである。
【００２１】
上記のように構成したことにより、氷蓄熱タンクＺをビルの地下スペースや中層階に設置していた場合であっても、製氷部３を構成する冷媒配管２，２・・（即ち、銅管２，２・・）に局部腐食（腐食形態としては孔食）が発生した場合には、蓋体７を取り外して開口部６を開放すれば、タンク本体１の側面に形成された開口部６から製氷部３を容易に取り出すことができることとなる。従って、製氷部３のメンテナンス（即ち、銅管２，２・・の修理）を容易に行うことができる。なお、本実施の形態の場合、製氷部３を構成する冷媒配管２，２・・を、銅管により構成したことにより、冷媒配管２，２・・の伝熱特性が高くなって、製氷部３における製氷能力が向上するとともに、銅管２，２・・の耐食性により腐食発生頻度を低減できる。
【００２２】
第２の実施の形態
図５には、本願発明の第２の実施の形態にかかる氷蓄熱タンクが示されている。
【００２３】
本実施の形態の場合、製氷部３は、機械的接続手段であるチューブ継手１１，１１・・を介して分解可能に接続された複数の分割製氷部３Ａ，３Ａ・・により構成されており、開口部６は、前記分割製氷部３Ａを取り出し得る大きさされている。この場合、蓋体７は省略されている。前記チューブ継手１１は、セージロックと称されるものとされ、図６に示すように、両端に銅管２，２を嵌挿し得るように構成された継手本体１２と、該継手本体１２に対して前記銅管２，２を固定するためのナット１３とからなっている。図６において、符号１４はフロントフエルール、１５はバックフェルールである。
【００２４】
本実施の形態の場合、開口部６を小さくできるため、製作コストを低減することが可能となる。
【００２５】
その他の構成および作用効果は、第１の実施の形態におけると同様なので説明を省略する。
【００２６】
なお、上記各実施の形態においては、タンク本体１を直方体形状としているが、タンク本体１の形状は、これに限定されることはなく、円筒体形状、楕円筒体形状、多角形筒体形状等とすることもできる。
【図面の簡単な説明】
【００２７】
【図１】本願発明の第１の実施の形態にかかる氷蓄熱タンクをビルの地下スペースや中層階に設置した場合を示す縦断面図である。
【図２】本願発明の第１の実施の形態にかかる氷蓄熱タンクをビルの地下スペースや中層階に設置した場合における製氷部の取出状態を示す縦断面図である。
【図３】本願発明の第１の実施の形態にかかる氷蓄熱タンクの変形例を示す正面図である。
【図４】図３のＩＶ−ＩＶ断面図（内部構造およびタンク本体の一部を省略）である。
【図５】本願発明の第２の実施の形態にかかる氷蓄熱タンクの正面図である。
【図６】本願発明の第２の実施の形態にかかる氷蓄熱タンクにおける機械的接続手段の具体例を示す側面図である。
【図７】従来例としての氷蓄熱タンクを屋上に設置した場合を示す縦断面図であり、（イ）は屋上設置状態を示し、（ロ）は製氷部取出状態を示す。
【図８】従来例としての氷蓄熱タンクをビルの地下スペースや中層階に設置した場合における製氷部取出状態を示す縦断面図である。
【符号の説明】
【００２８】
１はタンク本体
２は冷媒配管（銅管）
３は製氷部
６は開口部
７は蓋体
１１は機械的接続手段（チューブ継手）
Ｔは天井
Ｗは水
Ｚは氷蓄熱タンク
【図１】
2010071473.tif 000003
【図２】
2010071473.tif 000004
【図３】
2010071473.tif 000005
【図４】
2010071473.tif 000006
【図５】
2010071473.tif 000007
【図６】
2010071473.tif 000008
【図７】
2010071473.tif 000009
【図８】
2010071473.tif 000010